(57)【要約】【課題】対象物に被固定物を固定した際に埋設状態になる固定ボルトの頭部や固定ナットに防犯具を装着しても、被固定物を対象物から外す必要が生じた場合には、固定ボルトの頭部や固定ナットを容易に外部に露出させることができる固定ボルトおよび固定ナット用着脱式防犯具の提供を課題とする。【解決手段】固定ナット４の下端面に係止するナット用係止爪を有する冠着部材２０には、周壁部材用係止爪２４，２５が配設されている。周壁部材３０の上部には、切欠部３３を有する円状鍔部３２が形成されている。周壁部材３０の内部には、リング３４が遊嵌状態で配設されている。装着解除具７０には、切欠部３３に挿入可能で、且つリング３４を押し下げる押下脚部７２が配設されている。【選択図】  図５
2006200614.tif 000002
【特許請求の範囲】
【請求項１】
固定ナットに装着される固定ナット用防犯具と、該固定ナット用防犯具の装着状態を解
除する装着解除具とから構成される固定ナット用着脱式防犯具であって、
前記固定ナット用防犯具は、
対象物に固定されているボルトが挿通可能な被固定物を当該ボルトと螺合する前記固定
ナットで前記ボルトに固定した際、前記固定ナットの下端面と前記被固定物の表面との間
に空隙を形成するスペース形成手段と、
天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能なナット用係止爪が形成されている冠着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成され、前記内周壁面の上端部には、内側方向に突設された円状鍔
部であって複数個の切欠部を有する円状鍔部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記装着解除具は、
前記周壁部材の前記円状鍔部の内側に形成されている開口に挿入可能な底面部が本体の
下部に配設され、
当該底面部には、その周縁から外側方向に延在し、前記円状鍔部の前記複数個の切欠部
のそれぞれに嵌合可能な複数個の係合腕部が形成され、
当該係合腕部の先端部には、鉛垂方向下方に延在する押下脚部であって、該押下脚部の
全長と前記リングの厚みとの合計長が、前記周壁部材の前記円状突起部の上縁部と円状鍔
部の下縁部との距離以下となるようにその全長が選ばれている押下脚部が配設されている
ことを特徴とする固定ナット用着脱式防犯具。
【請求項２】
前記スペース形成手段は、前記固定ナットの下端面に当接する前記固定ボルトが挿通可
能なスペーサであることを特徴とする請求項１に記載の固定ナット用着脱式防犯具。
【請求項３】
前記スペース形成手段は、前記固定ナットの下面側に当該固定ナットと一体的に形成さ
れたテーパー部であることを特徴とする請求項１に記載の固定ナット用着脱式防犯具。
【請求項４】
固定ボルトの頭部に装着される固定ボルト用防犯具と、該固定ボルト用防犯具の装着状
態を解除する装着解除具とから構成される固定ボルト用着脱式防犯具であって、
前記固定ボルト用防犯具は、
前記固定ボルトが挿通可能な被固定物を当該固定ボルトと螺合する雌ネジ部を有する対
象物に前記固定ボルトで固定した際、前記固定ボルトの頭部の下端面と前記被固定物の表
面との間に空隙を形成するスペース形成手段と、
天板部と該天板部の周縁部から下方に延在する複数枚の側壁部とを有し、前記固定ボル
トの頭部に冠着する冠着部材であって、前記複数枚の側壁部の下端部には、前記固定ボル
トの頭部に冠着した際、前記被固定物の表面と前記固定ボルトの頭部の下端面との間に形
成されている空隙部分に挿入可能なボルト用係止爪が形成されている冠着部材と、
前記固定ボルトの頭部に冠着した前記冠着部材の外側面部を覆う中空円筒状の周壁部材
であって、該周壁部材の内周壁面の下端部には、内側方向に突設され前記冠着部材の側壁
部を押圧する円状突起部が形成され、前記内周壁面の上端部には、内側方向に突設された
円状鍔部であって複数個の切欠部を有する円状鍔部が形成されている周壁部材とから構成
され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記装着解除具は、
前記周壁部材の前記円状鍔部の内側に形成されている開口に挿入可能な底面部が本体の
下部に配設され、
当該底面部には、その周縁から外側方向に延在し、前記円状鍔部の前記複数個の切欠部
のそれぞれに嵌合可能な複数個の係合腕部が形成され、
当該係合腕部の先端部には、鉛垂方向下方に延在する押下脚部であって、該押下脚部の
全長と前記リングの厚みとの合計長が、前記周壁部材の前記円状突起部の上縁部と円状鍔
部の下縁部との距離以下となるようにその全長が選ばれている押下脚部が配設されている
ことを特徴とする固定ボルト用着脱式防犯具。
【請求項５】
前記スペース形成手段は、前記固定ボルトの頭部の下端面に当接する前記固定ボルトが
挿通可能なスペーサであることを特徴とする請求項４に記載の固定ボルト用着脱式防犯具
。
【発明の詳細な説明】
【技術分野】
【０００１】
本発明は、固定ボルトを用いてこれと螺合する対象物に被固定物を固定した際や、固定
ナットを用いて対象物に固定されているボルトに被固定物を固定した際に、この被固定物
を盗難から守る固定ボルトおよび固定ナット用着脱式防犯具に関するものである。
【背景技術】
【０００２】
自動車のナンバープレートやアルミホイール等の部品を車体に固定する場合や、変圧器
や自動販売機等の機器をその設置場所に固定する場合には、通常、固定ボルトや固定ナッ
トを用いてその固定が行なわれている。
【０００３】
近年、駐車中の自動車等の車体からナンバープレートのみを盗むという犯罪が増加して
いる。この犯罪を行なう者は、一般に市販されているドライバ等の器具を用いて、固定ボ
ルトを外し短時間のうちにナンバープレートのみを盗んでいく。
【０００４】
このような固定ボルトや固定ナットを外して行なわれる盗難事件を防ぐために、固定ボ
ルトの頭部や固定ナットを外部に露呈させない以下のような固定ボルトおよび固定ナット
用防犯具を本願出願人は既に提案している（特願２００４−３６４４８８）。
【０００５】
図９は、固定ナット用防犯具の構成を示した分解斜視図であり、図１０は、固定ナット
用防犯具の装着状態での断面図である。
【０００６】
図９および図１０において、Ｆはコンクリート等で形成された床であり、３はこの床Ｆ
にその一部が埋設固定されているボルトである。５は、ボルト３と固定ナット４とによっ
て対象物である床Ｆに固定される自動販売機や変圧器等の被固定物である。４ｂは固定ナ
ット４の下端面に当接するワッシャー、１０はワッシャー４ｂと被固定物５の表面との間
に空隙を形成するためのスペーサである。
【０００７】
２０は固定ナット４に冠着する冠着部材であり、３０は冠着部材２０の外側面を覆う周
壁部材である。冠着部材２０は金属によって構成し、周壁部材３０も金属によって構成し
てあるが、この冠着部材２０を構成する材料や周壁部材３０を構成する材料は、以上の材
料に限定されるものではない。
【０００８】
冠着部材２０は、天板部２１とこの天板部２１の周縁部から下方（天板部２１から視て
ナット４の方向）に延在する複数枚の側壁部２２および周壁部材用係止爪２４，２５によ
って構成されている。
【０００９】
側壁部２２の下端部には、固定ナット４およびワッシャー４ｂと被固定物５の表面との
間にスペーサ１０によって形成される空隙Ｓに挿入され、ワッシャー４ｂを介して固定ナ
ット４の下端面に当接するナット用係止爪２６が形成されている。このようにスペーサ１
０は、ナット用係止爪２６が挿入可能となるような空隙Ｓを形成するために配設されるス
ペース形成手段として用いられるものである。このスペース形成手段は、スペーサ１０に
限られるものではなく、既に本願出願人が特願２００４−３６４４８８で開示したように
、固定ナットの下面側に一体的に形成されたスペーサ部やテーパー部としてもよい。
【００１０】
この金属製の弾性を有する冠着部材２０は、固定ナット４およびワッシャー４ｂに容易
に被せることができるようにその側壁部２２および周壁部材用係止爪２４，２５が若干開
いた状態に形成されている。
【００１１】
周壁部材３０の内周壁面の下端部には、その全周に亘って内側方向に突設された円状突
起部３１が形成されている。この周壁部材３０の円状突起部３１に押圧されることにより
、冠着部材２０のナット用係止爪２６は、固定ナット４の下端面にワッシャー４ｂを介し
て当接した状態を維持することができる。
【００１２】
ここで、図１０に示したように、弾性を有する金属製の冠着部材２０に配設されている
周壁部材用係止爪２４，２５は、その下端部が、周壁部材３０の円状突起部３１の上面部
分に当接するように形成されている。この周壁部材用係止爪２４，２５は円状突起部３１
の上面に略直角な状態で当接するように形成されているので、冠着部材２０に装着されて
いる周壁部材３０を容易に外すことはできない。
【００１３】
このように固定ナット４に冠着部材２０および周壁部材３０が装着された図１０に示し
た状態においては、固定ナット４を外部に露呈することは著しく困難となる。
【００１４】
以上のように構成された固定ナット用防犯具においては、図１１に示すような専用の係
止解除具６０を用いることにより、周壁部材３０と冠着部材２０とを容易に外すことがで
きる。
【００１５】
この係止解除具６０は、図１２（ａ）ないし（ｃ）に示したように中空円筒形の形状を
有する部材である。係止解除具６０の外径は、図１２（ａ），（ｂ）に示すように周壁部
材３０の内側に嵌入可能な値に選ばれている。また、係止解除具６０の内径は、周壁部材
３０の円状突起部３１の上面部分の内径以下となるように選ばれている。
【００１６】
このような係止解除具６０を、図１２（ａ）に示すように周壁部材３０に嵌入させて、
その先端部を図１２（ｂ）に示したように円状突起部３１の上面部分に当接させると、冠
着部材２０の周壁部材用係止爪２４，２５と円状突起部３１の係合状態を解除させること
ができる。従って図１２（ｃ）に示したように、係止解除部材６０と共に周壁部材３０を
固定ナット４から離すことができる。
【００１７】
図１２（ｃ）のように冠着部材２０を完全に露出させれば、この冠着部材２０は固定ナ
ット４から容易に外すことができる。従って固定ナット４を容易に露出させることができ
る。
【００１８】
このように固定ナット４を外部に露出させれば、ボックスレンチ等の一般の器具を用い
て固定ナット４を簡単に外すことができる。
【特許文献１】特願２００４−３６４４８８
【発明の開示】
【発明が解決しようとする課題】
【００１９】
以上説明した固定ナット用防犯具においては、係止解除具６０を用いて周壁部材３０を
外す際、図１２（ｃ）に示したように周壁部材３０を手で持った状態で外すという構成と
なっているために以下のような問題が生じてしまう。
【００２０】
すなわち、図１３および図１４に示した自動車のタイヤＴのホイールＨを固定する固定
ナット４のように、固定した状態において埋設状態となる固定ナット４に冠着部材２０お
よび周壁部材３０を装着した場合には、防犯機能を果たすことは出来る。しかしながら、
タイヤ交換のときなど固定ナット４を外す必要が生じた際、係止解除具６０を用いて冠着
部材２０と周壁部材３０との係合状態を解除しても、周壁部材３０とホイールＨとの間の
隙間が狭いために、周壁部材３０を手で持って外すことが著しく困難となってしまうとい
う問題が生じる。
【００２１】
換言すれば、先に説明した固定ボルトおよび固定ナット用防犯具は、被固定物を対象物
に固定した状態において埋設状態となる固定ボルトの頭部や固定ナットに装着した場合、
固定ボルトや固定ナットを外す必要が生じたときに、この防犯具を外すことが著しく困難
になってしまうという問題が生じる。
【課題を解決するための手段】
【００２２】
以上の問題を解決するために本発明は、固定ナットに装着される固定ナット用防犯具と
、該固定ナット用防犯具の装着状態を解除する装着解除具とから構成される固定ナット用
着脱式防犯具であって、前記固定ナット用防犯具は、対象物に固定されているボルトが挿
通可能な被固定物を当該ボルトと螺合する前記固定ナットで前記ボルトに固定した際、前
記固定ナットの下端面と前記被固定物の表面との間に空隙を形成するスペース形成手段と
、天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能なナット用係止爪が形成されている冠着部材と、前記固定ナットに冠着した
前記冠着部材の外側面部を覆う中空円筒状の周壁部材であって、該周壁部材の内周壁面の
下端部には、内側方向に突設され前記冠着部材の側壁部を押圧する円状突起部が形成され
、前記内周壁面の上端部には、内側方向に突設された円状鍔部であって複数個の切欠部を
有する円状鍔部が形成されている周壁部材とから構成され、前記冠着部材には、前記周壁
部材の前記円状突起部の上面部分に係合する周壁部材用係止爪であって、前記天板部の周
縁部から下方に延在する周壁部材用係止爪が形成され、前記周壁部材の内側には、当該周
壁部材の内径と略同じ外径を有し、内径が前記円状突起部の内径以下であるリングが遊嵌
状態で配設され、前記装着解除具は、前記周壁部材の前記円状鍔部の内側に形成されてい
る開口に挿入可能な底面部が本体の下部に配設され、当該底面部には、その周縁から外側
方向に延在し、前記円状鍔部の前記複数個の切欠部のそれぞれに嵌合可能な複数個の係合
腕部が形成され、当該係合腕部の先端部には、鉛垂方向下方に延在する押下脚部であって
、該押下脚部の全長と前記リングの厚みとの合計長が、前記周壁部材の前記円状突起部の
上縁部と円状鍔部の下縁部との距離以下となるようにその全長が選ばれている押下脚部が
配設されていることを特徴とするものである。ここで、前記スペース形成手段は、前記固
定ナットの下端面に当接する前記固定ボルトが挿通可能なスペーサであってもよいし、ま
た、前記スペース形成手段は、前記固定ナットの下面側に当該固定ナットと一体的に形成
されたテーパー部であってもよい。
【００２３】
また、以上の問題を解決するために本発明は、固定ボルトの頭部に装着される固定ボル
ト用防犯具と、該固定ボルト用防犯具の装着状態を解除する装着解除具とから構成される
固定ボルト用着脱式防犯具であって、前記固定ボルト用防犯具は、前記固定ボルトが挿通
可能な被固定物を当該固定ボルトと螺合する雌ネジ部を有する対象物に前記固定ボルトで
固定した際、前記固定ボルトの頭部の下端面と前記被固定物の表面との間に空隙を形成す
るスペース形成手段と、天板部と該天板部の周縁部から下方に延在する複数枚の側壁部と
を有し、前記固定ボルトの頭部に冠着する冠着部材であって、前記複数枚の側壁部の下端
部には、前記固定ボルトの頭部に冠着した際、前記被固定物の表面と前記固定ボルトの頭
部の下端面との間に形成されている空隙部分に挿入可能なボルト用係止爪が形成されてい
る冠着部材と、前記固定ボルトの頭部に冠着した前記冠着部材の外側面部を覆う中空円筒
状の周壁部材であって、該周壁部材の内周壁面の下端部には、内側方向に突設され前記冠
着部材の側壁部を押圧する円状突起部が形成され、前記内周壁面の上端部には、内側方向
に突設された円状鍔部であって複数個の切欠部を有する円状鍔部が形成されている周壁部
材とから構成され、前記冠着部材には、前記周壁部材の前記円状突起部の上面部分に係合
する周壁部材用係止爪であって、前記天板部の周縁部から下方に延在する周壁部材用係止
爪が形成され、前記周壁部材の内側には、当該周壁部材の内径と略同じ外径を有し、内径
が前記円状突起部の内径以下であるリングが遊嵌状態で配設され、前記装着解除具は、前
記周壁部材の前記円状鍔部の内側に形成されている開口に挿入可能な底面部が本体の下部
に配設され、当該底面部には、その周縁から外側方向に延在し、前記円状鍔部の前記複数
個の切欠部のそれぞれに嵌合可能な複数個の係合腕部が形成され、当該係合腕部の先端部
には、鉛垂方向下方に延在する押下脚部であって、該押下脚部の全長と前記リングの厚み
との合計長が、前記周壁部材の前記円状突起部の上縁部と円状鍔部の下縁部との距離以下
となるようにその全長が選ばれている押下脚部が配設されていることを特徴とするもので
ある。ここで、前記スペース形成手段は、前記固定ボルトの頭部の下端面に当接する前記
固定ボルトが挿通可能なスペーサであってもよい。
【発明の効果】
【００２４】
本発明によれば、対象物に被固定物を固定した際に埋設状態になる固定ボルトの頭部や
固定ナットに防犯具を装着しても、被固定物を対象物から外す必要が生じた場合には、固
定ボルトの頭部や固定ナットを容易に外部に露出させることができる。
【発明を実施するための最良の形態】
【００２５】
以下、図面を用いて本発明の実施例を説明する。
【実施例１】
【００２６】
図１ないし図３は本発明の実施例１の構成を示した図であり、図１は斜視図、図２は周
壁部材３０の内部構成を示した断面斜視図、図３は図１に示した冠着部材２０および周壁
部材３０の断面図である。
【００２７】
図１ないし図３において、先に説明した従来例を示した図９および図１０と同一符号の
のものは同一のものを示しているのでその説明は省略する。
【００２８】
本実施例１が従来例と異なっているところは、周壁部材３０の構成と、周壁部材３０を
外すために用いられる図１および図２に示した装着解除具７０の構成である。この周壁部
材３０と装着解除具７０の構成を図１および図２を用いて説明する。
【００２９】
図２に示したように、周壁部材３０の内周壁面の下端部には従来例と同様の円状突起部
３１が形成されている。本実施例１においては、周壁部材３０の内周壁面の上端部に内側
方向に突設された円状鍔部３２が配設されている。この円状鍔部３２には、図１に示した
ように複数個の切欠部３３が形成されている。
【００３０】
また、本実施例１においては、図２に示したように、円状突起部３１と円状鍔部３２と
の間に、リング３４が遊嵌状態で配設されている。このリング３４の外径は、周壁部材３
０の内径と略同じとなるような値に選ばれており、その内径は、円状突起部３１の内径以
下の値となるように選ばれている。従って、このリング３４は円状突起部３１と円状鍔部
３２との間を上下方向に移動可能な状態となるように周壁部材３０の内側に配設されてい
る。
【００３１】
装着解除具７０は、円状鍔部３２の内側に形成されている開口に挿入可能な底面部を有
しており、その本体の形状は、手で持ち易い形状となっている。装着解除具７０の底面部
には、その周縁から外側方向に延在し、円状鍔部３２に形成された複数個の切欠部３３の
それぞれに嵌合可能な複数個の係合腕部７１が形成されている。
【００３２】
複数個の係合腕部７１のそれぞれの先端部には、鉛垂方向下方に延在する押下脚部７２
が配設されている。
【００３３】
この押下脚部７２の全長、すなわち押下脚部７２の下端から係合腕部７１の上面までの
距離は、この距離とリング３１の厚みとの合計長が、円状突起部３１の上縁部と円状鍔部
３２の下縁部との距離以下となるように選ばれている。
【００３４】
従って、切欠部３３と係合腕部７１とを合わせた状態で、装着解除具７０の底面部を周
壁部材３０にその移動が停止するまで挿入すれば、係合腕部７１および押下脚部７２は円
状鍔部３２の下側の水平面内で回転可能な状態となる。
【００３５】
次に以上のように構成された本実施例１の動作を図４ないし図７を用いて説明する。
【００３６】
先ず、固定ナット４に冠着部材２０および周壁部材３０を装着する場合には、図４（ａ
）〜（ｃ）に示したように、従来例と同様に固定ナット４に冠着部材２０を装着した状態
にしてから、周壁部材３０を装着する。この周壁部材３０の装着過程においては、リング
３４は冠着部材２０に当接した状態で周壁部材３０内を上方向に移動する。
【００３７】
このようにして固定ナット４に装着された冠着部材２０および周壁部材３０を外す場合
には、図５（ａ），（ｂ）に示したように、装着解除具７０の本体を手で持ち、押下脚部
７２の位置を切欠部３３の位置に合わせた状態にして、周壁部材３０内に停止するまで挿
入する。このように装着解除具７０が挿入された図５（ｂ）に示した状態においては、リ
ング３４の内面に押圧されて周壁部材用係止爪２４，２５が内側に移動し、この周壁部材
用係止爪２４，２５と円状突起部３１との係合状態が解除される。
【００３８】
次に、図６（ａ）に示したように、装着解除具７０をＡ方向に回転させて、係合腕部７
１の位置を切欠部３３の位置からずらして、係合腕部７１が円状鍔部３２の下縁部に当接
可能な図６（ｂ）に示した状態にする。この状態で図７に示したように装着解除具７０を
固定ナット４から離す方向に移動させて、周壁部材３０を外す。外壁部材３０が外れれば
、冠着部材２０は固定ナット４から容易に外すことができ、固定ナット４を外部に露出さ
せることができる。
【００３９】
このように本実施例１においては、周壁部材３０に手を触れることなくこれを外すこと
が可能となる。従って固定ナット４が埋設状態であったとしても、周壁部材３０および冠
着部材２０を容易に外すことができて固定ナット４を外部に露出させることができる。
【００４０】
以上の説明においては、固定ナット４に本実施例１に係る冠着部材２０と周壁部材３０
とを装着した場合について説明したが、本実施例１に係る冠着部材２０と周壁部材３０と
は、図８に示したような、床Ｆ等の対象物に、この対象物と螺合可能な固定ボルト２で被
固定物５を固定するような場合にも、その固定ボルト２の頭部２ａに装着することができ
る。なお図８において、２３は、図３に示したナット用係止爪２６と同様の構成のボルト
用係止爪であり、２ｂはワッシャーである。
【図面の簡単な説明】
【００４１】
【図１】本発明の実施例１の構成を示す斜視図である。
【図２】本発明の実施例１の構成を示す断面斜視図である。
【図３】本発明の実施例１の構成を示す断面図である。
【図４】本発明の実施例１の動作説明図である。
【図５】本発明の実施例１の動作説明図である。
【図６】本発明の実施例１の動作説明図である。
【図７】本発明の実施例１の動作説明図である。
【図８】本発明の実施例１の構成の説明図である。
【図９】従来の固定ナット用防犯具の構成を示す斜視図である。
【図１０】従来の固定ナット用防犯具の構成を示す断面図である。
【図１１】従来の固定ナット用防犯具の説明図である。
【図１２】従来の固定ナット用防犯具の説明図である。
【図１３】従来の固定ナット用防犯具の説明図である。
【図１４】従来の固定ナット用防犯具の説明図である。
【符号の説明】
【００４２】
２  固定ボルト
２ａ  頭部
２ｂ，４ｂ  ワッシャー
３  ボルト
４  固定ナット
５  被固定物
１０  スペーサ
２０  冠着部材
２１  天板部
２２  側壁部
２３  ボルト用係止爪
２４，２５  周壁部材用係止爪
２６  ナット用係止爪
３０  周壁部材
３１  円状突起部
３２  円状鍔部
３３  切欠部
３４  リング
７０  装着解除具
７１  係合腕部
７２  押下脚部
Ａ  方向
Ｆ  床
Ｓ  空隙
【図１】
2006200614.tif 000003
【図２】
2006200614.tif 000004
【図３】
2006200614.tif 000005
【図４】
2006200614.tif 000006
【図５】
2006200614.tif 000007
【図６】
2006200614.tif 000008
【図７】
2006200614.tif 000009
【図８】
2006200614.tif 000010
【図９】
2006200614.tif 000011
【図１０】
2006200614.tif 000012
【図１１】
2006200614.tif 000013
【図１２】
2006200614.tif 000014
【図１３】
2006200614.tif 000015
【図１４】
2006200614.tif 000016